(57)【要約】【課題】  耳部の長い袋に内容物が収納された物品でも正確に外装箱へ収容することができる箱詰め装置を提供する。【解決手段】  整列コンベア６と、一対の床板１１を開閉駆動する床開閉装置１０と、整列コンベア６で整列させられた複数の物品を押出しプレート７０で押し出して床板１１上に移動させる押出し装置７と、押出しプレート７０によって床板１１上に押し出された複数の物品と当接するストッパプレート１７と、ストッパプレート１７と近接し、かつ、床板１１上の複数の物品の両側に位置して対向する一対の保持プレート８０を有し、一対の保持プレート８０で複数の物品を挟圧する挟圧装置８と、複数の物品を保持プレート８０の間から下方に脱出させて外装箱に押し込む押込み装置９とを備え、一対の保持プレート８０は、各々のストッパプレート１７側の端縁近傍の所定部分８０ｂがストッパプレート１７に近づくにつれて互いに近づくように構成されている。【選択図】  図１
0003208782.tif 000002
【実用新案登録請求の範囲】
【請求項１】
複数の物品を整列させる物品整列装置と、
一対の床板を有し、前記床板を開閉駆動する床開閉装置と、
前記床板が閉じられた状態において、前記物品整列装置で整列させられた前記複数の物品をその整列方向と直交する水平方向へ押出しプレートで押し出すことによって前記床板上に前記複数の物品を移動させる押出し装置と、
前記複数の物品が押し出される方向の前方側に前記押出しプレートと対向するように配置され、前記床板上に押し出された前記複数の物品と当接するストッパプレートと、
前記ストッパプレートと近接し、かつ、前記複数の物品が前記床板上に押し出されたときに前記複数の物品の整列方向の両側に位置して対向する一対の保持プレートを有し、前記一対の保持プレートで前記複数の物品を挟圧する挟圧装置と、
前記床板が開放された状態において、前記挟圧された前記複数の物品の上面を下方に押して前記複数の物品を前記一対の保持プレートの間から下方に脱出させて外装箱に押し込む押込み装置と、
を備え、
前記一対の保持プレートは、
各々の前記ストッパプレート側の端縁近傍の所定部分が、前記ストッパプレートに近づくにつれて互いに近づくように構成された、
箱詰め装置。
【請求項２】
前記一対の保持プレートは、
矩形の金属板を前記所定部分と他の部分との境界線上で折り曲げることにより、前記所定部分が、前記ストッパプレートに近づくにつれて互いに近づくように構成された、
請求項１に記載の箱詰め装置。
【請求項３】
前記物品が、ヘッダー部を有するヘッダー付袋に内容物が収納されてなり、
前記床板上に押し出される各々の前記物品は、前記ヘッダー部が前記ストッパプレートに当接する向きで押し出される、
請求項１または２に記載の箱詰め装置。
【考案の詳細な説明】
【技術分野】
【０００１】
本考案は、複数の物品を外装箱に収容する箱詰め装置に関する。
【背景技術】
【０００２】
従来より、複数の物品を段ボールケース等の外装箱の内部に収容する箱詰め装置が知られている（例えば、特許文献１参照）。
【０００３】
このような従来の箱詰め装置は、複数の物品を整列させる整列コンベアと、一対の床板（シャッタ）を有し、床板を開閉駆動する床開閉装置と、整列コンベアで整列させられた複数の物品を一対の床板上に押し出す押出しプレートと、押出しプレートで物品を押し出したときに物品を挟んで押出しプレートと対向するように配置されて物品を床板上で停止させるための平板状のストッパプレートと、外装箱を上記床板の直下まで上昇させる昇降装置と、床板上に押し出された複数の物品をその整列方向の両側から挟圧して保持する一対の平板状の保持プレートと、床板上に押し出された複数の物品を床板が開いた際に上方から外装箱の内部に押し込む押し込みプレートとを備えている。なお、外装箱は床板の下方で４つのフラップ（蓋）が起立した状態で配置されており、その中へ物品が押し込まれるようになっている。
【先行技術文献】
【特許文献】
【０００４】
【特許文献１】特開２００５−８１８５号公報
【考案の概要】
【考案が解決しようとする課題】
【０００５】
上記従来の箱詰め装置において、物品が袋に内容物を収納したものであって、ヘッダー付ＯＰＰ袋のように耳部（ヘッダー部）の長い袋が用いられている物品の場合には、複数の物品は、整列コンベア上で、各々の耳部が押出しプレートとは反対側の位置となるようにして整列させられる。これは、長い耳部の側が押出しプレートで押された場合には物品の姿勢が乱れて安定した姿勢で押し出すのが困難となるので、これを回避するためである。よって、複数の物品は、耳部と反対側の部分が押出しプレートで床板上へ押し出される。このとき、押し出される複数の物品のうちの端部に配置された物品の耳部が保持プレートとストッパプレートとの隙間からはみ出す場合がある。この場合の状態の一例を図４に示す。
【０００６】
図４は、押出しプレート７０によって複数の物品Ｗが床板１１上へ押し出されたときの状態を示す平面図である。そして、この場合、両端に配置された物品Ｗの耳部Ｗａが、保持プレート１８０とストッパプレート１７との隙間からはみ出している。この状態で一対の保持プレート１８０によって物品Ｗが挟圧され、一対の床板１１がそれぞれ矢印ａ、ｂ方向へ開いて、上方から押し込みプレート（図示せず）が下降して物品Ｗが外装箱へ押し込まれる。この際に、床板１１の下方に外装箱への案内部材を設けていても、上記の隙間からはみ出した耳部Ｗａが外装箱のフラップ間の隙間等に引っ掛かって外装箱へ物品を正確に収容できない場合がある。
【０００７】
本考案は上記のような課題を解決するためになされたもので、耳部の長い袋に内容物が収納された物品でも正確に外装箱へ収容することができる箱詰め装置を提供することを目的としている。
【課題を解決するための手段】
【０００８】
上記目的を達成するために、本考案のある態様に係る箱詰め装置は、複数の物品を整列させる物品整列装置と、一対の床板を有し、前記床板を開閉駆動する床開閉装置と、前記床板が閉じられた状態において、前記物品整列装置で整列させられた前記複数の物品をその整列方向と直交する水平方向へ押出しプレートで押し出すことによって前記床板上に前記複数の物品を移動させる押出し装置と、前記複数の物品が押し出される方向の前方側に前記押出しプレートと対向するように配置され、前記床板上に押し出された前記複数の物品と当接するストッパプレートと、前記ストッパプレートと近接し、かつ、前記複数の物品が前記床板上に押し出されたときに前記複数の物品の整列方向の両側に位置して対向する一対の保持プレートを有し、前記一対の保持プレートで前記複数の物品を挟圧する挟圧装置と、前記床板が開放された状態において、前記挟圧された前記複数の物品の上面を下方に押して前記複数の物品を前記一対の保持プレートの間から下方に脱出させて外装箱に押し込む押込み装置と、を備え、前記一対の保持プレートは、各々の前記ストッパプレート側の端縁近傍の所定部分が、前記ストッパプレートに近づくにつれて互いに近づくように構成されている。
【０００９】
この構成によれば、一対の保持プレートの各々のストッパプレート側の端縁近傍の所定部分が、ストッパプレートに近づくにつれて互いに近づくように構成されている。そのため、耳部の長い袋に内容物が収納された物品であっても、物品整列装置から押出しプレートによって耳部がストッパプレートに当接する向きで複数の物品が押し出されることにより、両端の物品は、その耳部が一対の保持プレートの所定部分に沿って内側へ曲げられて押し出される。これにより、保持プレートとストッパプレートとの隙間から耳部がはみ出すのを防止でき、複数の物品が外装箱に押し込まれる際に、耳部が外装箱のフラップ間の隙間等に引っ掛かるのを無くし、正確に外装箱へ収容することができる。
【００１０】
前記一対の保持プレートは、矩形の金属板を前記所定部分と他の部分との境界線上で折り曲げることにより、前記所定部分が、前記ストッパプレートに近づくにつれて互いに近づくように構成されていてもよい。
【００１１】
前記物品が、ヘッダー部を有するヘッダー付袋に内容物が収納されてなり、前記床板上に押し出される各々の前記物品は、前記ヘッダー部が前記ストッパプレートに当接する向きで押し出されることが好ましい。
【考案の効果】
【００１２】
本考案は、以上に説明した構成を有し、耳部の長い袋に内容物が収納された物品でも正確に外装箱へ収容することができる箱詰め装置を提供することができるという効果を奏する。
【図面の簡単な説明】
【００１３】
【図１】図１は、本考案の実施形態の箱詰め装置の一例の概略を示す斜視図である。
【図２】図２は、図１に示す箱詰め装置の一対の保持プレートを示す斜視図である。
【図３】図３は、図１に示す箱詰め装置において複数の物品の床板上での状態の一例を示す平面図である。
【図４】図４は、従来の箱詰め装置において不具合が生じる場合の複数の物品の床板上での状態の一例を示す平面図である。
【考案を実施するための形態】
【００１４】
以下、本考案の好ましい実施の形態を、図面を参照しながら説明する。なお、以下では全ての図面を通じて同一又は相当する要素には同一の参照符号を付して、その重複する説明を省略する。また、本考案は、以下の実施形態に限定されない。
【００１５】
（実施形態）
［全体構成］
図１は、本考案の実施形態の箱詰め装置の一例の概略を示す斜視図である。
【００１６】
本実施形態の箱詰め装置１００は、例えば、ピロー袋等の包装材で包装された複数の物品Ｗを整列させた状態で外装箱１１０に箱詰めする装置である。この箱詰め装置１００及び外装箱１１０において、便宜上、前後左右を図１に示すように決めて説明する。なお、図１に示す上下は真である。
【００１７】
この箱詰め装置１００は、供給コンベア２００から順次供給される物品Ｗを複数（所定個数）整列させて所定の整列位置Ｔまで搬送する整列コンベア（物品整列装置）６と、整列コンベア６の整列位置Ｔから複数の物品Ｗを整列状態で床板１１上の物品載置位置Ａへ押し出す押出し装置７と、物品載置位置Ａへ押し出された複数の物品Ｗからなる物品群と当接するストッパプレート１７と、物品載置位置Ａへ押し出された物品群を押出方向と直交する水平方向から挟圧する挟圧装置８と、物品群が載置されている床板１１を開閉する床開閉装置１０と、物品群を外装箱１１０に押し込む押込み装置９と、外装箱１１０を床板１１の下方に配置する外装箱配置装置２０と、箱詰め装置１００の動作を制御する制御装置３０と、これら箱詰め装置１００の各構成要素を所定の位置に支持する枠体１と、を有している。
【００１８】
各物品Ｗは、菓子類等の内容物が袋に収納されてなる物品であり、袋としてヘッダー付袋のように耳部Ｗａの長い袋が用いられている物品である。ヘッダー付袋の場合、耳部Ｗａであるヘッダー部には、商品吊り下げ用のフック棒などに吊り下げるための穴が設けられている。
【００１９】
［供給コンベアの構成］
供給コンベア２００は、例えばベルトコンベアによって構成され、包装機等の前段の装置（図示省略）から複数の物品Ｗが順次供給されると、これらの物品Ｗを搬送して整列コンベア６へ供給する。
【００２０】
［整列コンベアの構成］
整列コンベア６は、複数の物品Ｗを立てた状態で１列に整列させるものであり、複数の物品Ｗを一方向（図１では左から右に向かう方向）に搬送する無端軌道６０と、無端軌道の搬送面６０ａに搬送方向に間隔を隔てて設けられた複数のフィン（仕切板）６１とを有している。複数のフィン６１によってフィン６１間の無端軌道６０上に物品Ｗを収容できる収容部６２が複数連なって形成される。
【００２１】
無端軌道６０は、４本の環状ベルトが一対のスプロケット６３によって支持されている。４本の環状ベルトは２本ずつに分かれて第１ベルト群６４及び第２ベルト群６５を構成している。第１ベルト群６４及び第２ベルト群６５にはそれぞれ、フィン６１が複数装着されている。第１ベルト群６４は、一方のスプロケット６３によって回転駆動され、第２ベルト群６５は、他方のスプロケット６３によって回転駆動されるように構成されている。一対のスプロケット６３のそれぞれは、別々のモータによって駆動される。これによって、第１ベルト群６４及び第２ベルト群６５を互いに独立して循環駆動することができ、一方のベルト群が暫時停止を繰り返しながら物品取り込み位置Ｓにおいて収容部６２に物品Ｗを受け入れる動作と、他方のベルト群が収容部６２の物品Ｗを整列位置Ｔにおいて停止させた状態を保持する動作とを同時に行うことができる。
【００２２】
また、整列コンベア６の上流側には、物品取り込み位置Ｓに移送されてきた物品Ｗの存在を検出する物品検出装置６９が設けられている。整列コンベア６は、物品取り込み位置Ｓにおいて供給コンベア２００から移送されてくる物品Ｗを順次受け取り、これら物品Ｗの姿勢を寝た姿勢から直立した姿勢に転換すると共に一列に整列し、整列位置Ｔへ搬送する。
【００２３】
［押出し装置の構成］
押出し装置７は、複数のスリット７１が形成された平板状の押出しプレート７０を備えている。そして、押出しプレート７０は、駆動装置（図示せず）の駆動力によってレール部材（図示せず）に案内されて、整列コンベア６の一方の側に沿って位置する退避位置と、整列コンベア６の他方の側の所定の進出位置との間で、水平方向に進出及び退避動作するように構成されている。複数のスリット７１は、押出しプレート７０が退避位置から進出位置へ進出動作する際に、整列位置Ｔに位置する複数のフィン６１と接触しないよう、押出しプレート７０の下端から中間部にかけて鉛直方向に延びるように形成されている。
【００２４】
押出しプレート７０が、退避位置（図示されている位置）から進出動作（ｘ方向へ移動）して進出位置まで進出することにより、整列コンベア６上に整列された複数の物品Ｗが通路部７３上を通って物品載置位置Ａへ押し出される。なお、通路部７３には、押出しプレート７０によって押し出された複数の物品Ｗが散乱することを防止するために一対の案内板７４が設けられている。
【００２５】
したがって、整列位置Ｔに位置する一連の収容部６２に収容された複数の物品Ｗは、押出しプレート７０によって、整列コンベア６の搬送方向（整列コンベア６上での複数の物品Ｗの整列方向）と直交する水平方向（ｘ方向）へ押し出されて移動し、整列コンベア６の搬送方向と同方向に整列した物品群となり、閉じた床板１１上に設定された物品載置位置Ａに載置される。
【００２６】
［ストッパプレートの構成］
ストッパプレート１７は、整列コンベア６の搬送方向と同方向に延びる板状体であり、進出位置に位置する押出しプレート７０と対向するように枠体１に固定されて設けられている。したがって、押出しプレート７０によって物品載置位置Ａへ押し出された物品Ｗは、ストッパプレート１７と当接し、閉じた床板１１上で停止するよう構成されている。ストッパプレート１７は、物品Ｗと当接する面が鉛直面となるように板状体が立てられた状態で固定されている。
【００２７】
［挟圧装置の構成］
挟圧装置８は、一対の保持プレート８０を備えている。この一対の保持プレート８０は、一対の床板１１の上方において、一対の案内板７４の延長線上に配置される。即ち、一対の保持プレート８０は、押出しプレート７０の押出方向ｘと直交する水平方向に対向して設けられている。そして、この一対の保持プレート８０は、ストッパプレート１７の近傍にまで延伸している。
【００２８】
図２は、一対の保持プレート８０を示す斜視図である。この図２に示すように、一対の保持プレート８０は、互いに平行となる面を形成する対向部分８０ａと、ストッパプレート１７側の端縁近傍の所定部分からなる案内部分８０ｂとを有している。一対の保持プレート８０の案内部分８０ｂは、ストッパプレート１７に近づくにつれて互いに近づくように構成されている。この一例としての保持プレート８０は、例えば、矩形（正方形を含む）の金属板が、対向部分８０ａと案内部分８０ｂとの境界線Ｂ１において所定角度だけ折り曲げられて形成されている。
【００２９】
そして、押出しプレート７０によって複数の物品Ｗが押し出されたときに、床板１１の上には、押出しプレート７０、ストッパプレート１７及び一対の保持プレート８０によって区画された領域が形成される。この領域が物品載置位置Ａを構成する。そして、押出しプレート７０によってｘ方向へ押し出された物品群は、ストッパプレート１７と当接し、物品載置位置Ａ上に一対の保持プレート８０が対向する方向Ｙに整列した状態で載置される。図３は、押出しプレート７０によって複数の物品Ｗが押し出されたときの床板１１上での状態の一例を示す平面図である。なお、図３では、一対の案内板７４は図示していない（図４の場合も同様）。
【００３０】
そして、図１に示すように、各保持プレート８０の背面には水平方向に延びる軸体８１が設けられている。各軸体８１は駆動装置（図示せず）によって、一対の保持プレート８０が互いに近づく方向及び互いに遠ざかる方向に進退動作するように構成されている。一対の保持プレート８０が互いに近づく方向に進出することによって、物品載置位置Ａに位置する物品群がその整列方向Ｙから一対の保持プレート８０の間に挟圧され、物品Ｗ同士を密着させることができる。
【００３１】
［床開閉装置の構成］
床開閉装置１０は、整列コンベア６の側方に配設され、水平方向に延びる一対の床板１１を備えている。一対の床板１１は、その縁部が枠体１に配設された複数のローラに支持され、互いに対向する端面同士が接触及び離隔するようにして進退自在に構成されている。そして、一対の床板１１は、駆動装置（図示せず）の駆動力により開閉駆動されるように構成されている。一対の床板１１が後退駆動されると、互いの端面同士が離隔された状態となり、物品載置位置Ａの直下に開口が形成される（一対の床板１１がそれぞれ図３に示す矢印ａ、ｂ方向へ開いて床板１１が開放される）。
【００３２】
［押込み装置の構成］
押込み装置９は、鉛直方向に延びる軸体９０と、軸体９０の下端がその上面に接合された押込み部材９１とを有している。軸体９０は、枠体１に昇降自在に支持されている。そして、軸体９０は、押込み部材９１と共に駆動装置（図示せず）の駆動力により鉛直方向に昇降するように構成されている。この押込み装置９は、押込み部材９１を下降させることにより、物品載置位置Ａの物品群の上面を下方に押して同物品群を一対の保持プレート８０の間から下方に脱出させて、開放した一対の床板１１の間の開口を介して、箱詰め位置Ｐに位置している外装箱１１０に押し込むことができる。
【００３３】
また、本例では、押込み部材９１の下面には、物品群の上面を吸着するための吸着口が設けられており、押込み部材９１は、物品群の上面を吸着する吸着具としても機能し、物品群の上面を吸着して保持した状態で所定位置まで下降することにより、物品群を外装箱１１０に押し込むことができる。
【００３４】
［外装箱配置装置の構成］
外装箱配置装置２０は、外装箱１１０を水平搬送する外装箱搬送コンベア２２と、外装箱昇降装置２１とを有している。
【００３５】
外装箱搬送コンベア２２は、多数の駆動ローラ２２ａを備えた駆動ローラコンベアであり、駆動ローラ２２ａによって外装箱１１０がｙ方向へ搬送される。
【００３６】
外装箱昇降装置２１は、外装箱１１０が載置される台座２４を備えている。台座２４は、駆動ローラ２２ａ間の隙間に埋没可能な複数の棒材２４ａと、各棒材２４ａを連結する連結材２４ｂとを備えている。台座２４は、公知の昇降装置（図示せず）に支持され、昇降動作できるように構成されている。すなわち、台座２４は、棒材２４ａが駆動ローラ２２ａ間の隙間に埋没した状態となる所定の下降位置と、所定の上昇位置との間で、昇降動作する。台座２４が所定の上昇位置にあるときに、台座２４上の外装箱１１０が箱詰め位置Ｐとなるように構成されている。
【００３７】
また、台座２４には、エアシリンダ等からなる制止装置２３が取り付けられている。制止装置２３は、進退可能な棒体２３ａを備えており、台座２４が下降位置において、棒体２３ａを進出させることにより、外装箱搬送コンベア２２で搬送されてくる外装箱１１０を物品載置位置Ａの下方の箱停止位置Ｕに停止させることができ、棒体２３ａを退避させることにより、外装箱１１０を箱停止位置Ｕから下流側へ搬送させることができる。また、台座２４には、光電センサ等からなる箱検出装置２５が取り付けられている。
【００３８】
［制御系統の構成］
制御装置３０は、例えば、ＣＰＵ等の演算器を有する制御部と、ＲＯＭ及びＲＡＭ等のメモリを有する記憶部とを備えている。物品検出装置６９から出力される物品検出信号及び箱検出装置２５から出力される箱検出信号は、制御装置３０に入力される。制御装置３０では、制御部が記憶部に記憶されている所定の制御プログラムを読み出して実行することにより、整列コンベア６、押出し装置７、挟圧装置８、押込み装置９、床開閉装置１０及び外装箱配置装置２０の各駆動装置を制御する。すなわち、制御装置３０によって、箱詰め装置１００全体の動作が制御される。なお、制御装置３０は、互いに協働して分散制御する複数の制御装置で構成されていてもよい。
【００３９】
［箱詰め装置の動作］
次に、箱詰め装置１００の動作の一例について説明する。この動作は、制御装置３０の処理によって実現される。
【００４０】
まず、運転が開始されると、制御装置３０は、整列コンベア６を制御して、供給コンベア２００より順次供給される物品Ｗを、所定個数、整列位置Ｔにおいて整列させる。
【００４１】
次に、制御装置３０は、押出し装置７を制御して、押出しプレート７０を退避位置から進出位置に移動させることにより、整列位置Ｔにおいて整列した物品Ｗを床板１１上へ押し出させる。これにより、複数の物品Ｗからなる物品群が物品載置位置Ａに整列状態で載置され、各物品Ｗは、押出しプレート７０及びストッパプレート１７によって整列方向Ｙと直交する水平方向の両端部が揃った状態となる。
【００４２】
次に、制御装置３０は、挟圧装置８を制御して、一対の保持プレート８０を互いに近づく方向にそれぞれ進出させる。これによって、物品群がその整列方向Ｙから挟圧されて物品Ｗ同士を密着させることができる。
【００４３】
次に、制御装置３０は、押込み装置９を制御して、吸着機能を有する押込み部材９１を、挟圧された物品群の上面に接触するように降下させ、物品群の上面を吸着させる。これによって物品群が押込み部材９１に保持される。
【００４４】
次に、制御装置３０は、床開閉装置１０を制御して、一対の床板１１を後退駆動させて床板１１を開放状態にする。これによって、物品載置位置Ａに位置する物品群の直下に開口部が形成される。
【００４５】
一方、制御装置３０は、上記の処理と並行して、外装箱配置処理を行っている。この外装箱配置処理では、予め制止装置２３の棒体２３ａを進出位置に位置させた状態にしており、外装箱搬送コンベア２２で搬入されてきた外装箱１１０を箱停止位置Ｕに停止させる。そして、制御装置３０は、箱検出装置２５から箱検出信号を入力すると、外装箱搬送コンベア２２の搬送動作を停止させて、台座２４を上昇させ、箱停止位置Ｕの外装箱１１０を箱詰め位置Ｐに位置させる。
【００４６】
そして、前述のように床板１１を開放状態にした後、制御装置３０は、押込み装置９を制御して、物品群を吸着している押込み部材９１を降下させることによって、箱詰め位置Ｐの外装箱１１０に物品群を押し込む。この際、物品群の両端の物品Ｗは保持プレート８０表面上を滑り抜ける。
【００４７】
次に、制御装置３０は、押出装置７、挟圧装置８、押込み装置９、床開閉装置１０などを元の状態に復帰させる。例えば、押出しプレート７０を退避位置へ戻し、保持プレート８０を後退させて元の位置へ戻す。また、押込み装置９は、押込み部材９１の吸着機能を停止させた後、押込み部材９１を物品群の形成位置の上方にまで上昇させる。この押込み部材９１の上昇後、床板１１を閉鎖する。
【００４８】
これらの復帰させる処理と並行して、制御装置３０は、台座２４を下降させて物品群を収容した外装箱１１０を箱停止位置Ｕに位置させた後、制止装置２３の棒体２３ａを搬送路から退避させ、外装箱搬送コンベア２２の搬送動作を再開させて外装箱１１０を箱詰め装置１００から搬出する。
【００４９】
そして、上記と同様の箱詰め動作が新たに繰り返される。
【００５０】
本実施形態では、一対の保持プレート８０の各々のストッパプレート１７側の端縁近傍の案内部分８０ｂが、ストッパプレート１７に近づくにつれて互いに近づくように構成されている。そのため、例えばヘッダー付袋のヘッダー部のように耳部Ｗａの長い袋に内容物が収納された物品Ｗであっても、耳部Ｗａがストッパプレート１７に当接する向きで整列コンベア６から押出しプレート７０によって複数の物品Ｗが押し出されるときに、図３に示すように、両端の物品Ｗは、その耳部Ｗａが一対の保持プレート８０の案内部分８０ｂに沿って内側へ曲げられて押し出される。これにより、保持プレート８０とストッパプレート１７との隙間から耳部Ｗａがはみ出すのを防止でき、複数の物品Ｗが外装箱１１０に押し込まれる際に、耳部Ｗａが外装箱１１０のフラップ間の隙間等に引っ掛かるのを無くし、正確に外装箱１１０へ収容することができる。
【産業上の利用可能性】
【００５１】
本考案は、耳部の長い袋に内容物が収納された物品でも正確に外装箱へ収容することができる箱詰め装置等として有用である。
【符号の説明】
【００５２】
６  整列コンベア
７  押出し装置
８  挟圧装置
９  押込み装置
１０  床開閉装置
１１  床板
１７  ストッパプレート
７０  押出しプレート
８０  保持プレート
８０ｂ  案内部分（所定部分）
【図１】
0003208782.tif 000003
【図２】
0003208782.tif 000004
【図３】
0003208782.tif 000005
【図４】
0003208782.tif 000006